(57)【特許請求の範囲】
【請求項１】
容器体１に対する縦型ポンプの装着を、該ポンプに付設された装着筒６を容器体口頸部３外面へ嵌合させ、かつ強制押下げして、装着筒内面の第２係合突条７を口頸部外周の第１係合突条８強制乗越えにより、該第１係合突条下面へほぼ抜出し不能に嵌合させて行った縦型ポンプ式容器において、
上記装着筒６外面へ嵌合させた周壁１１下端に内向きフランジ１２を付設し、該フランジを装着筒下方の容器体口頸部部分外面へ嵌合させて、口頸部３および装着筒６に対して空転および上下動可能とした作動筒部材１３を設け、
上記装着筒６下面と内向きフランジ１２の上面とからは、それぞれほぼ等間隔に第１、第２係合突子１４、１５を突出させて作動筒部材１３の上下動で第１係合突子１４間に第２係合突子１５が着脱自在に嵌合すると共に、それ等両突子の少なくとも一方の左方ないし右方側面を同方向への傾斜面としておき、
作動筒部材１３を上限まで下降不能に持上げた状態からの作動筒部材の回動で、各第１係合突子１４が上記傾斜面を介して第２係合突子１５上へ乗上げし、このとき第２係合突条７が第１係合突条８を乗越え可能に形成した
ことを特徴とする縦型ポンプ式容器。
【請求項２】
作動筒部材１３を上限まで持上げた位置で、容器本体肩部２ａ基部の上面と内向きフランジ１２下面との間に形成される間隙Ｓとほぼ同一の板厚を有し、かつ容器体口頸部の半周部分外面へ、内周面Ｐと接して嵌合可能な凹部１６ａを先端面に有する
ことを特徴とする請求項１記載の作動筒部材支持用の板状治具。
【発明の詳細な説明】
【０００１】
【発明の属する技術分野】
本発明は縦型ポンプ式容器と該容器が有する作動筒部材支持用治具に関する。
【０００２】
【従来の技術】
例えば、実開平３−３２０６０に示すように、胴部上端から容器体口頸部を起立し、容器体内へ垂下するシリンダの上端部に付設した外向きフランジを口頸部上端面へ載置すると共に、口頸部外面へ嵌合させた装着筒上端の内向きフランジでシリンダの外向きフランジを挟持させ、さらに、シリンダ内から起立する作動部材の上端部に、ノズルを外方へ突出させた押下げヘッドを嵌着させた縦型ポンプ式容器が知られている。
【０００３】
【発明が解決しようとする課題】
上記縦型ポンプ式容器は、容器体に対する縦型ポンプの着脱を、該ポンプに付設され容器体口頸部外面へ嵌合する装着筒の嵌合、離脱で行うよう設けているから、容器体内液体が無くなると、ポンプを外し、容器体内液体を補充しかつポンプを再装着することで使用を継続することができる。
上記容器は洗浄液、シャンプー、リンス等の吐出用として家庭用としても、又ホテル等でも使用されているが、ホテルにあっては上記のようにポンプを外し、容器体内液体を異種液体に入れ替えする悪戯があり、関係者はその対策に苦慮している。
【０００４】
本発明は、装着筒外面へ作動筒部材を空転、かつ上下動自在に嵌合させることにより、適宜治具を用いない限り装着筒の離脱を不能にし、その治具は担当者が管理するようにして上記悪戯を防止するものである。
【０００５】
【課題を解決するための手段】
第１の手段として、容器体１に対する縦型ポンプの装着を、該ポンプに付設された装着筒６を容器体口頸部３外面へ嵌合させ、かつ強制押下げして、装着筒内面の第２係合突条７を口頸部外周の第１係合突条８強制乗越えにより、該第１係合突条下面へほぼ抜出し不能に嵌合させて行った縦型ポンプ式容器において、
上記装着筒６外面へ嵌合させた周壁１１下端に内向きフランジ１２を付設し、該フランジを装着筒下方の容器体口頸部部分外面へ嵌合させて、口頸部３および装着筒６に対して空転および上下動可能とした作動筒部材１３を設け、
上記装着筒６下面と内向きフランジ１２の上面とからは、それぞれほぼ等間隔に第１、第２係合突子１４、１５を突出させて作動筒部材１３の上下動で第１係合突子１４間に第２係合突子１５が着脱自在に嵌合すると共に、それ等両突子の少なくとも一方の左方ないし右方側面を同方向への傾斜面としておき、
作動筒部材１３を上限まで下降不能に持上げた状態からの作動筒部材の回動で、各第１係合突子１４が上記傾斜面を介して第２係合突子１５上へ乗上げし、このとき第２係合突条７が第１係合突条８を乗越え可能に形成した。
【０００６】
第２の手段として、上記第１の手段を有すると共に、作動筒部材１３を上限まで持上げた位置で、容器本体肩部２ａ基部の上面と内向きフランジ１２下面との間に形成される間隙Ｓとほぼ同一の板厚を有し、かつ容器体口頸部の半周部分外面へ、内周面Ｐと接して嵌合可能な凹部１６ａを先端面に有する。
【０００７】
【発明の実施の形態】
以下、本発明に係る縦型ポンプ式容器の実施形態を図面を参照しながら説明する。
まず、縦型ポンプ式容器の公知の部分について簡単に説明すると、１は容器体で、胴部２上端から肩部２ａを介して口頸部３を起立すると共に、容器体内へ垂下するシリンダ４の上端部に付設した外向きフランジ５を口頸部３上端面へ載置する。
【０００８】
また、容器体口頸部３の上部外面へ装着筒６を嵌合させ、かつ強制押下げして、装着筒内面の第２係合突条７を、口頸部外周の第１係合突条８強制乗越えにより該第１係合突条下面へほぼ抜出し不能に嵌合させている。また、装着筒６の上端に内向きフランジ状頂壁６ａを付設して、該内向きフランジ状頂壁を外向きフランジ５上面へ載置させることで該外向きフランジを挟持し、さらに、シリンダ４内から起立する作動部材の上端部へ、ノズル９を外方へ突出させた押下げヘッド１０を嵌着させている。
【０００９】
本発明では、装着筒６外面へ嵌合させた周壁１１下端に内向きフランジ１２を付設し、該内向きフランジを装着筒６下方の口頸部３部分外面へ嵌合させて、口頸部３および装着筒６に対して空転および上下動可能とした作動筒部材１３を設けている。
【００１０】
装着筒６下面からは第１係合突子１４を、かつ内向きフランジ１２上面からは第２係合突子１５を、それぞれ複数突出してほぼ等間隔に配列すると共に、作動筒部材１３の持ち上げで第１係合突子１４間に第２係合突子１５が下方から嵌合し、かつ、作動筒部材１３の下降で第２係合突子１５が第１係合突子１４間から下方へ離脱自在に設ける。
【００１１】
これら第１係合突子１４は径方向から見て逆向き台形状に、また、第２係合突子１５は台形状にそれぞれ形成すると共に、これら第１および第２係合突子１４、１５の斜辺の傾斜角度はほぼ同一とする。
なお、図示例では各係合突子１４、１５は２つの斜辺を有するが、これに限らず作動筒部材１３を一方向へ回動させることで係合する辺だけを傾斜させることも可能である。
【００１２】
次に請求項２記載の作動筒部材の支持用治具の実施形態を図４を参照しながら説明する。
該支持用治具１６は、作動筒部材１３の内向きフランジ１２下面と容器体肩部２ａの基部上面との間に差し込んで作動筒部材１３を持ち上げるためのもので、Ｕ字状の板体からなる。該板体は、作動筒部材１３の持上げで第２係合突子１５を第１係合突子１４間に嵌合させた状態で、容器体肩部の基部上面と内向きフランジ１２下面との間に形成される間隙Ｓとほぼ同一の厚さを有する。また、そのＵ字状板の凹部１６ａの基部内面Ｐは容器体口頸部３の半周部分外面へ嵌合自在となっている。さらに、Ｕ字状板の先端部には勾配を付して、内向きフランジ１２下面と容器体肩部の基部上面との間への差込みを容易にする。
【００１３】
次に作用について説明する。
作動筒部材１３は装着筒６と容器体口頸部３とに対して空転自在、かつ上下動自在であるから、作動筒部材１３を持ち上げて上限位置に保持させない限り、作動筒部材を回動させても空転するだけで、装着筒６を回動させることはできず、このため容器体から装着筒６、ひいてはポンプを離脱させることができず、従って、容器体内液体を入れ替えることも不可能である。
【００１４】
容器体からポンプを離脱させるには、支持用治具１６を内向きフランジ下面と容器体肩部上面との間へ差し込んで、治具の板厚分だけ作動筒部材１３を持ち上げることにより、第２係合突子１５を第１係合突子１４間へ嵌合させて、作動筒部材１３を任意の方向へ回動させればよく、すると第１および第２係合突子の傾斜面が係合して、第１係合突子１４が第２係合突子１５上へ乗り上げることにより装着筒６が持ち上げられ、これによって第２係合突条７が第１係合突条８を乗り越え、装着筒６が口頸部３から離脱可能になる。
【００１５】
【発明の効果】
本発明は、装着筒外面へ作動筒部材を空転、かつ上下動自在に嵌合させたので、適宜治具を用いない限り容器体口頸部から装着筒を離脱させることはほとんど不可能で、従って、容器体内液体を他種液体に入れ替えるといった悪戯を未然に防止することができる。
【図面の簡単な説明】
【図１】本発明に係る縦型ポンプ式容器の要部断面図。
【図２】同じく、装着筒の斜視図。
【図３】同じく、作動筒部材の斜視図。
【図４】同じく、支持用治具の斜視図。
【図５】同じく、支持用治具を作動筒部材と容器体肩部との間に差し込んだ状態を示す作用説明図。
【符号の説明】
１  容器体
２  胴部
２ａ  肩部
３  口頸部
６  装着筒
７  第２係合突条
８  第１係合突条
９  ノズル
１０  押下げヘッド
１１  周壁
１２  内向きフランジ
１３  作動筒部材
１４  第１係合突子
１５  第２係合突子
１６  支持用治具
１６ａ  凹部
Ｓ  間隙
Ｐ  内周面
【図１】
0003892638.tif 000002
【図２】
0003892638.tif 000003
【図３】
0003892638.tif 000004
【図４】
0003892638.tif 000005
【図５】
0003892638.tif 000006